(57)【要約】【課題】夏期の日射遮蔽と冬期の日射取得が可能であって、太陽の南中高度がほぼ同じである９月と３月であっても容易に９月には日射遮蔽を行い３月には日射取得を行うことができ、さらに夏期には日射の遮蔽を行いながら明るさは室内に取り入れることができる日射遮蔽設備を提供する。【解決手段】建物２の開口部３の上部に設けられ、日射遮蔽部材１０を有し、日射遮蔽部材１０は、第１領域１１と、第１領域１１よりも建物２に遠い位置に第２領域１２とを含み、日射遮蔽部材１０は、日射遮蔽部材１０の上部から日射遮蔽部材１０の直下に配置したスクリーンに光を投影した際に、スクリーン上に光が通過する部分と、光を遮って影となる部分とを有し、第１領域１１の投影面積の割合（＝第１領域１１において影となる部分の面積／第１領域１１の面積）は、第２領域１２の投影面積の割合（＝第２領域１２において影となる部分の面積／第２領域１２の面積）よりも大きい。【選択図】図１
2019199704.tif 000002
【特許請求の範囲】
【請求項１】
建物の開口部の上部に設けられ、
日射遮蔽部材を有し、
前記日射遮蔽部材は、第１領域と、前記第１領域よりも建物に遠い位置に第２領域とを含み、
前記日射遮蔽部材は、前記日射遮蔽部材の上部から前記日射遮蔽部材の直下に配置したスクリーンに光を投影した際に、前記スクリーン上に光が通過する部分と、光を遮って影となる部分とを有し、
前記第１領域の投影面積の割合（＝前記第１領域において影となる部分の面積／前記第１領域の面積）は、前記第２領域の投影面積の割合（＝前記第２領域において影となる部分の面積／前記第２領域の面積）よりも大きいことを特徴とする日射遮蔽設備。
【請求項２】
前記日射遮蔽部材は、複数の横桟部材を有しており、
前記横桟部材は、前記日射遮蔽部材の長さ方向に複数配列されている請求項１に記載の日射遮蔽設備。
【請求項３】
前記日射遮蔽部材は、第１面と第２面とを有し、
前記横桟部材は、前記第１面上に配列されている複数の第１横桟部材と、前記第２面上に配列されている複数の第２横桟部材とを有しており、
前記第１横桟部材は、前記第２面側であって前記第２面の法線方向から視認可能であり、
前記第２横桟部材は、前記第１面側であって前記第１面の法線方向から視認可能であり、
前記第１領域における前記第１横桟部材と前記第２横桟部材とが互いに重なり合う面積は、前記第２領域における前記第１横桟部材と前記第２横桟部材とが互いに重なり合う面積よりも小さい請求項１または２に記載の日射遮蔽設備。
【請求項４】
前記第２領域における前記第１横桟部材と隣接する前記第１横桟部材との距離は、前記第１領域における前記第１横桟部材と隣接する前記第１横桟部材との距離よりも大きく、かつ、前記第１領域における前記第２横桟部材と隣接する前記第２横桟部材との距離および前記第２領域における前記第２横桟部材と隣接する前記第２横桟部材との距離よりも大きい請求項３に記載の日射遮蔽設備。
【請求項５】
前記第１領域において、前記第１横桟部材と隣接する前記第１横桟部材との距離は、前記第１横桟部材の建物に近い側の端部から建物に遠い側の端部までの長さよりも小さく、
前記第２領域において、前記第１横桟部材と隣接する前記第１横桟部材との距離は、前記第１横桟部材の建物に近い側の端部から建物に遠い側の端部までの長さよりも大きい請求項３または４に記載の日射遮蔽設備。
【請求項６】
前記第２領域において、重なりが最も大きい１つの前記第１横桟部材と１つの前記第２横桟部材における重なりの面積は、該第１横桟部材の投影面積の３０％以上であり、かつ、該第２横桟部材の投影面積の３０％以上である請求項３〜５のいずれか一項に記載の日射遮蔽設備。
【請求項７】
前記横桟部材は、前記横桟部材の建物に近い側の端部が、前記横桟部材の建物に遠い側の端部よりも高くなるように傾斜して配列されている請求項１または２に記載の日射遮蔽設備。
【請求項８】
前記第１領域における前記横桟部材の傾斜角度は、前記第２領域における前記横桟部材の傾斜角度よりも小さい請求項７に記載の日射遮蔽設備。
【請求項９】
前記第１領域には、建物に遠い側の前記横桟部材の端部が、該横桟部材に隣接する横桟部材に重なる前記横桟部材を有し、
前記第２領域には、建物に遠い側の前記横桟部材の端部が、該横桟部材に隣接する横桟部材に重ならない前記横桟部材を有している請求項７または８に記載の日射遮蔽設備。
【請求項１０】
前記第１領域において、前記横桟部材と該横桟部材に隣接する横桟部材とが互いに重なり合う部分の面積は、前記第２領域において、前記横桟部材と該横桟部材に隣接する横桟部材とが互いに重なり合う部分の面積よりも大きい請求項７〜９のいずれか一項に記載の日射遮蔽設備。
【請求項１１】
前記日射遮蔽部材は、第１面と第２面とを有し、
前記横桟部材の建物に近い側の端部と前記第１面との距離は、前記横桟部材の建物に遠い側の端部と前記第２面との距離よりも大きい請求項７〜１０のいずれか一項に記載の日射遮蔽設備。
【発明の詳細な説明】
【技術分野】
【０００１】
本発明は日射遮蔽設備に関するものであり、詳細には日射遮蔽と日射取得の両立が可能である日射遮蔽設備に関するものである。
【背景技術】
【０００２】
従来、窓や出入口等、建物の開口部の外部に設けられ、日差しの調整を行うものとして日射遮蔽設備が用いられており、６月から８月の夏期は室温上昇を防ぐために室内へ差し込む日光を遮り、１２月から２月の冬期は室温上昇のために日光を室内へ取り込むことが求められている。このような日射遮蔽設備として、上側外壁面に前方に突出して設けられた庇本体部と庇本体部の前方で所定間隔に水平に並べて設けられた複数の水平材とを備え、庇本体部および複数の水平材は前後に互いに隣接する対向面が前方から背面側にかけて下方に傾斜する傾斜面とされ、庇本体部および複数の水平材の上端部および下端部がそれぞれ等しい高さに配置され、かつ庇本体部および複数の水平材の下端部が開口部の上端部に等しい高さに配置されている構成の庇（例えば、特許文献１参照）や、家屋の日光照射面に設けられ、傾斜する２以上の支持部材と支持部材間に一定間隔で配設された遮蔽体とからなり、遮蔽体を支持部材間に回動自在に設けた構成の日射遮蔽部材（例えば、特許文献２参照）等が知られている。
【先行技術文献】
【特許文献】
【０００３】
【特許文献１】特開２００８−２２３３４６号公報
【特許文献２】特開２００１−２０４８２号公報
【発明の概要】
【発明が解決しようとする課題】
【０００４】
しかし、日本では、９月（秋分）はまだ気温が高く冷房時期であり、室内へ差し込む日光を遮り、室温の上昇を防ぐ必要があるため、夏期だけでなく９月も日射遮蔽が求められている。また、３月（春分）はまだ気温が低く暖房時期であり、室内へ日光を取り込み、室温を上昇させる必要があるため、冬期だけでなく３月も日射取得が求められている。９月と３月は太陽の南中高度がほぼ同じであり、特許文献１に記載されているような構造の日射遮蔽設備では、９月の日射遮蔽と３月の日射取得の両立ができていない。
【０００５】
特許文献２に記載されているような構造の日射遮蔽設備では、太陽の南中高度に応じて各遮蔽体の傾斜角度を変えることによって、９月は日射遮蔽をし、３月は日射取得をすることは可能であるが、時期によってその都度、遮蔽体の傾斜角度を適切なものに変更しなければならず、手間がかかってしまう。
【０００６】
また、夏期の日射の遮蔽率を高めると、日射遮蔽設備が設けられている部分の床面が暗くなり、建物の内部も暗くなってしまう。夏期においては、室温の上昇を防止するために直射日光は遮るが、直射日光を反射させて明るさだけを室内に取り込むことが求められている。
【０００７】
本発明は、前記の事情に鑑みてなされたものであり、その目的は、夏期の日射遮蔽と冬期の日射取得が可能であって、太陽の南中高度がほぼ同じである９月と３月であっても容易に９月には日射遮蔽を行い３月には日射取得を行うことができ、さらに夏期には日射の遮蔽を行いながら明るさは室内に取り入れることができる日射遮蔽設備を提供することにある。
【課題を解決するための手段】
【０００８】
前記課題を解決することができた本発明の日射遮蔽設備は、建物の開口部の上部に設けられ、日射遮蔽部材を有し、日射遮蔽部材は、第１領域と、第１領域よりも建物に遠い位置に第２領域とを含み、日射遮蔽部材は、日射遮蔽部材の上部から日射遮蔽部材の直下に配置したスクリーンに光を投影した際に、スクリーン上に光が通過する部分と、光を遮って影となる部分とを有し、第１領域の投影面積の割合（＝第１領域において影となる部分の面積／第１領域の面積）は、第２領域の投影面積の割合（＝第２領域において影となる部分の面積／第２領域の面積）よりも大きいことを特徴とするものである。
【０００９】
上記の日射遮蔽設備において、日射遮蔽部材は、複数の横桟部材を有しており、横桟部材は、日射遮蔽部材の長さ方向に複数配列されていることが好ましい。
【００１０】
上記の日射遮蔽設備において、日射遮蔽部材は、第１面と第２面とを有し、横桟部材は、第１面上に配列されている複数の第１横桟部材と、第２面上に配列されている複数の第２横桟部材とを有しており、第１横桟部材は、第２面側であって第２面の法線方向から視認可能であり、第２横桟部材は、第１面側であって第１面の法線方向から視認可能であり、第１領域における第１横桟部材と第２横桟部材とが互いに重なり合う面積は、第２領域における第１横桟部材と第２横桟部材とが互いに重なり合う面積よりも小さいことが好ましい。
【００１１】
上記の日射遮蔽設備において、第２領域における第１横桟部材と隣接する第１横桟部材との距離は、第１領域における第１横桟部材と隣接する第１横桟部材との距離よりも大きく、かつ、第１領域における第２横桟部材と隣接する第２横桟部材との距離および第２領域における第２横桟部材と隣接する第２横桟部材との距離よりも大きいことが好ましい。
【００１２】
上記の日射遮蔽設備は、第１領域において、第１横桟部材と隣接する第１横桟部材との距離は、第１横桟部材の建物に近い側の端部から建物に遠い側の端部までの長さよりも小さく、第２領域において、第１横桟部材と隣接する第１横桟部材との距離は、第１横桟部材の建物に近い側の端部から建物に遠い側の端部までの長さよりも大きいことが好ましい。
【００１３】
上記の日射遮蔽設備は、第２領域において、重なりが最も大きい１つの第１横桟部材と１つの第２横桟部材における重なりの面積は、該第１横桟部材の投影面積の３０％以上であり、かつ、該第２横桟部材の投影面積の３０％以上であることが好ましい。
【００１４】
上記の日射遮蔽設備において、横桟部材は、横桟部材の建物に近い側の端部が、横桟部材の建物に遠い側の端部よりも高くなるように傾斜して配列されていることが好ましい。
【００１５】
上記の日射遮蔽設備において、第１領域における横桟部材の傾斜角度は、第２領域における横桟部材の傾斜角度よりも小さいことが好ましい。
【００１６】
上記の日射遮蔽設備において、第１領域には、建物に遠い側の横桟部材の端部が、該横桟部材に隣接する横桟部材に重なる横桟部材を有し、第２領域には、建物に遠い側の横桟部材の端部が、該横桟部材に隣接する横桟部材に重ならない横桟部材を有していることが好ましい。
【００１７】
上記の日射遮蔽設備は、第１領域において、横桟部材と該横桟部材に隣接する横桟部材とが互いに重なり合う部分の面積は、第２領域において、横桟部材と該横桟部材に隣接する横桟部材とが互いに重なり合う部分の面積よりも大きいことが好ましい。
【００１８】
上記の日射遮蔽設備において、日射遮蔽部材は、第１面と第２面とを有し、横桟部材の建物に近い側の端部と第１面との距離は、横桟部材の建物に遠い側の端部と第２面との距離よりも大きいことが好ましい。
【発明の効果】
【００１９】
本発明の日射遮蔽設備は、建物の開口部の上部に設けられ、日射遮蔽部材を有し、日射遮蔽部材は、第１領域と、第１領域よりも建物に遠い位置に第２領域とを含み、日射遮蔽部材は、日射遮蔽部材の上部から日射遮蔽部材の直下に配置したスクリーンに光を投影した際に、スクリーン上に光が通過する部分と、光を遮って影となる部分とを有し、第１領域の投影面積の割合（＝第１領域において影となる部分の面積／第１領域の面積）は、第２領域の投影面積の割合（＝第２領域において影となる部分の面積／第２領域の面積）よりも大きいことにより、容易に夏期および９月は日射遮蔽を、冬期および３月は日射取得が行えるようになり、さらに夏期には日射の遮蔽を行いながら明るさを室内に取り入れることができる。
【図面の簡単な説明】
【００２０】
【図１】本発明の実施の形態における日射遮蔽設備の側面図の一例を表す。
【図２】本発明の実施の形態における日射遮蔽部材の上面図および側面図を表す。
【図３】本発明の実施の形態における夏至の日射遮蔽状態の模式図を表す。
【図４】本発明の実施の形態における９月（秋分）の日射遮蔽状態の模式図を表す。
【図５】本発明の実施の形態における冬至の日射取得状態の模式図を表す。
【図６】本発明の実施の形態における３月（春分）の日射取得状態の模式図を表す。
【図７】本発明の他の実施の形態における日射遮蔽設備の側面図の一例を表す。
【図８】本発明の他の実施の形態における日射遮蔽部材の上面図および側面図を表す。
【図９】本発明の他の実施の形態における夏至の日射遮蔽状態の模式図を表す。
【図１０】本発明の他の実施の形態における９月（秋分）の日射遮蔽状態の模式図を表す。
【図１１】本発明の他の実施の形態における冬至の日射取得状態の模式図を表す。
【図１２】本発明の他の実施の形態における３月（春分）の日射取得状態の模式図を表す。
【図１３】従来の日射遮蔽設備における夏至の日射遮蔽状態の模式図を表す。
【図１４】従来の日射遮蔽設備における９月（秋分）の日射遮蔽状態の模式図を表す。
【図１５】従来の日射遮蔽設備における冬至の日射取得状態の模式図を表す。
【図１６】従来の日射遮蔽設備における３月（春分）の日射取得状態の模式図を表す。
【発明を実施するための形態】
【００２１】
以下、下記実施の形態に基づき本発明をより具体的に説明するが、本発明はもとより下記実施の形態によって制限を受けるものではなく、前・後記の趣旨に適合し得る範囲で適当に変更を加えて実施することも勿論可能であり、それらはいずれも本発明の技術的範囲に包含される。なお、各図面において、便宜上、ハッチングや部材符号等を省略する場合もあるが、かかる場合、明細書や他の図面を参照するものとする。また、図面における種々部材の寸法は、本発明の特徴の理解に資することを優先しているため、実際の寸法とは異なる場合がある。
【００２２】
図１および図７を参照し、本発明の実施の形態における日射遮蔽設備について説明する。日射遮蔽設備１は、庇やパーゴラ、ルーバー等のような、日除けのために配置されるものであり、建物２に設けられた窓や出入口等の開口部３の上部に設けられる。
【００２３】
日射遮蔽設備１は、日射遮蔽部材１０を有する。日射遮蔽設備１は、建物２の開口部３の上部の、建物２の外壁等に日射遮蔽部材１０が直接設けられる構成であってもよく、日射遮蔽部材１０に支柱５等を組み合わせて、建物２の開口部３の上部に設けられる構成であってもよい。中でも、日射遮蔽部材１０に支柱５等を組み合わせて、日射遮蔽設備１が建物２の開口部３の上部に設けられる構成であることが好ましい。日射遮蔽設備１がこのように構成されていることにより、日射遮蔽設備１の設置が容易となる。
【００２４】
図２および図８に示すように、日射遮蔽部材１０は、第１領域１１と、第１領域１１よりも建物に遠い位置に第２領域１２とを含み、日射遮蔽部材は、日射遮蔽部材の上部から日射遮蔽部材の直下に配置したスクリーンに光を投影した際に、スクリーン上に光が通過する部分と、光を遮って影となる部分とを有し、第１領域１１の投影面積の割合は第２領域１２の投影面積の割合よりも大きいことを特徴とする。なお、図２および図８において、紙面の右側が建物側である。
【００２５】
第１領域１１の投影面積の割合は、以下の計算式により算出することができる。
第１領域１１の投影面積の割合＝第１領域１１において影となる部分の面積／第１領域１１の面積
【００２６】
第２領域１２の投影面積の割合は、以下の計算式により算出することができる。
第２領域１２の投影面積の割合＝第２領域１２において影となる部分の面積／第２領域１２の面積
【００２７】
第１領域１１の投影面積の割合が、第２領域１２の投影面積の割合よりも大きいことにより、図３、図４、図９、および図１０に示すように、夏期および９月の冷房時期に開口部３から建物２の内部に差し込む日射を第１領域１１および第２領域１２が遮ることができ、冷房の効率を向上させることができる。また、図５、図６、図１１、および図１２に示すように、冬期および３月の暖房時期に開口部３から建物２の内部に差し込む日射については、第２領域１２を日射が通過することができ、暖房の効率を向上させることができる。
【００２８】
図３〜図６、図９〜図１２に日射遮蔽設備１の日射遮蔽および日射取得の状況の模式図を示す。なお、日射を表す矢印のうち、実線のものは差し込む日射を、破線のものは遮蔽した日射をそれぞれ表す。
【００２９】
さらに、図３および図９に示すように、第２領域１２の投影面積の割合が、第１領域１１の投影面積の割合よりも小さいことにより、夏期の南中高度の高い日射が第２領域１２から差し込み、デッキ４等の日射遮蔽部材１０の下部の床面に反射することによって、開口部３から入る日射を遮蔽しつつ、デッキ４に反射した日射の明るさを建物２の内部に取り入れることができる。
【００３０】
図１３〜図１６に従来の日射遮蔽設備１００の日射遮蔽および日射取得の状況の模式図を示す。日射を表す矢印のうち、実線のものは差し込む日射を、破線のものは遮蔽した日射をそれぞれ表す。
【００３１】
図１３に示すように、従来の日射遮蔽設備１００では、夏至の日射３１が横桟部材１２０によって遮られ、建物１０２の内部へほぼ入らないようにすることができる。しかし、図１４に示すように、従来の日射遮蔽設備１００では、９月（秋分）の日射３２が横桟部材１２０の隙間から通過して開口部１０３に差し込み、建物１０２の内部へ入ってしまうものがある。９月はまだ気温が高く冷房時期であり、室温の上昇を防ぐために建物１０２の内部への日射の進入を防ぐ必要があるが、従来の日射遮蔽設備１００では日射遮蔽が十分ではない。
【００３２】
図１５に示すように、従来の日射遮蔽設備１００では、冬至の日射３３が開口部１０３へ入り、日射取得ができている。しかし、図１６に示すように、従来の日射遮蔽設備１００では、３月（春分）の日射３４が横桟部材１２０に遮られ、建物１０２の内部へ十分に取り込むことができていない。３月はまだ気温が低く暖房時期であり、室温を上昇させるために建物１０２の内部へ日射を取り込む必要があるが、従来の日射遮蔽設備１００では日射取得が十分ではない。
【００３３】
日射遮蔽は夏期だけではなく９月にも必要とされており、日射取得は冬期だけではなく３月にも必要とされているが、９月（秋分）の日射３２と３月（春分）の日射３４は太陽の南中高度がほぼ同じである。そのため、従来の日射遮蔽設備１００では、ほぼ同じ南中高度であるにもかかわらず、９月は室内へ差し込む日射を遮り、３月は日射を室内へ取り込むということは困難であった。
【００３４】
また、９月（秋分）の日射３２を完全に遮蔽するために、横桟部材１２０の数を増やしたり、大きさを大きくしたりして、横桟部材１２０間の隙間をなくすと、日射遮蔽設備１００を日射が全く通過できなくなり、開口部３に差し込まない夏至の日射３１も完全に遮蔽し、日射遮蔽設備１００の下部が暗くなって、建物１０２の内部も暗くなってしまう。さらに、このような日射遮蔽設備１００では、３月（春分）の日射３４もさらに遮ってしまい、日射取得がより困難となる。
【００３５】
日射遮蔽設備１が第１領域１１と第２領域１２を含み、第１領域１１が第２領域１２よりも投影面積が大きいことにより、図３および図９に示すように、１年間で最も太陽の南中高度が高い夏至の日射３１は第１領域１１の横桟部材２０に遮られ、夏至の日射３１が開口部３に差し込んで建物２の内部に入ることを防ぐことができる。また、開口部３に入らない夏至の日射３１は第２領域１２の横桟部材２０の隙間から通過することができてデッキ４に反射して、明るさを建物２の内部に取り込むことができる。
【００３６】
図４および図１０に示すように、夏至の南中高度よりも低く、３月（春分）とほぼ同じ角度である９月（秋分）の日射３２は第２領域１２の横桟部材２０によって遮られる。よって、９月（秋分）の日射３２を日射遮蔽設備１が十分遮ることができ、建物２の内部へ日射が入ることを防止することが可能である。
【００３７】
図５および図１１に示すように、１年間で最も太陽の南中高度が低い冬至の日射３３は、その殆どが横桟部材２０に遮られずに開口部３に差し込む。そのため、冬至の日射３３を日射遮蔽設備１が通過させ、建物２の内部へ日射を取り込むことができる。
【００３８】
図６および図１２に示すように、冬至の南中高度よりも高く、９月（秋分）とほぼ同じ角度である３月（春分）の日射３４は、一部が横桟部材２０に遮られてしまうが、大半は横桟部材２０に遮られないか、第２領域１２の横桟部材２０の隙間から通過する。よって、３月（春分）の日射３４を日射遮蔽設備１が十分通過させることができ、建物２の内部への日射の取得が可能である。
【００３９】
従って、従来の日射遮蔽設備１００は、９月（秋分）の日射３２の遮蔽および３月（春分）の日射３４の取得ができていなかったが、本発明の日射遮蔽設備１は、９月（秋分）の日射３２の遮蔽および３月（春分）の日射３４の取得が可能となっている。また、夏至の日射３１について、開口部３に差し込まない日射は通過させて、明るさを建物２の内部に取り込むことができる。
【００４０】
第１領域１１の投影面積の割合を第２領域１２の投影面積の割合よりも大きくするには、日射遮蔽部材１０を複数の横桟部材２０等の部品にて構成し、各部品の配置を第１領域１１と第２領域１２とで異なるようにして、第１領域１１の方が第２領域１２よりも投影面積の割合が大きくなるような配置とする、孔を有する日射遮蔽部材１０として、第１領域１１の方が第２領域１２よりも孔を多く有するように構成する等の方法が挙げられる。中でも、日射遮蔽部材１０が複数の横桟部材２０を有している構成であることが好ましい。日射遮蔽部材１０がこのように構成されていることにより、第１領域１１および第２領域１２の投影面積の調整が行いやすくなる。
【００４１】
横桟部材２０は、日射遮蔽部材１０の長さ方向に複数配列されていることが好ましい。日射遮蔽部材１０の長さ方向とは、日射遮蔽部材１０の第１領域１１から第２領域１２に向かう方向を指す。横桟部材２０がこのように配置されていることにより、夏期および９月の冷房時期には日射遮蔽が行いやすく、冬期および３月の暖房時期には日射取得が行いやすくなり、さらに夏期には開口部３に入らない日射を通過させて室内に明るさを取り入れやすくすることができる。
【００４２】
横桟部材２０の固定の方法は特に限定されず、例えば、ネジ、ボルトやナット、釘、接着剤、熱融着や溶接等によって横桟部材２０を側面部材１３に固定してもよく、横桟部材２０と側面部材１３の嵌め合わせによって固定してもよい。中でも、ネジを用いて横桟部材２０を側面部材１３に固定することが好ましい。横桟部材２０がこのように固定されていることにより、日射遮蔽部材１０の組み立てが簡易となり、かつ日射遮蔽部材１０の強度を高めることができる。
【００４３】
横桟部材２０の形状は特に限定されず、平板状や角柱状、円柱状であってもよい。中でも、平板状であることが好ましい。横桟部材２０がこのように構成されていることにより、横桟部材２０の軽量化を図ることができ、日射遮蔽部材１０を軽量とすることが可能となる。
【００４４】
横桟部材２０の材料は特に限定されず、例えば、木材や金属、樹脂等が挙げられる。横桟部材２０が木材であれば、意匠性の高い日射遮蔽設備１とすることができ、ステンレスであれば、日射遮蔽設備１の耐久性を高めることができる。
【００４５】
図２に示すように、日射遮蔽部材１０は、第１面２１と第２面２２とを有し、横桟部材２０は、第１面２１上に配列されている複数の第１横桟部材２０ａと、第２面２２上に配列されている複数の第２横桟部材２０ｂとを有していることが好ましい。日射遮蔽部材１０がこのように構成されていることにより、図３〜図６に示すように、夏期および９月は日射遮蔽の効率を高め、冬期および３月は日射取得の効率をそれぞれ高めることができる。
【００４６】
第１横桟部材２０ａは、第２面２２側であって第２面２２の法線方向から視認可能であり、第２横桟部材２０ｂは、第１面２１側であって第１面２１の法線方向から視認可能であることが好ましい。即ち、第１横桟部材２０ａと第２横桟部材２０ｂとは、互い違いの状態に配置されていることが好ましい。第１横桟部材２０ａと第２横桟部材２０ｂがこのように構成されていることにより、冷房時期の期間全体において日射を遮蔽することができる。
【００４７】
第１領域１１における第１横桟部材２０ａと第２横桟部材２０ｂとが互いに重なり合う面積は、第２領域１２における第１横桟部材２０ａと第２横桟部材２０ｂとが互いに重なり合う面積よりも小さいことが好ましい。即ち、第１領域１１において、第１面２１側であって第１面２１の法線方向から視認可能である第２横桟部材２０ｂの面積は、第２領域１２において、第１面２１側であって第１面２１の法線方向から視認可能である第２横桟部材２０ｂの面積よりも大きいことが好ましい。第１横桟部材２０ａおよび第２横桟部材２０ｂがこのように構成されていることにより、夏期の南中高度の高い日射が開口部３から建物２の内部に入らないようにしながら、開口部３に差し込まない日射は通過させて明るさを建物２の内部に取り入れることができる。
【００４８】
第１領域１１における第１横桟部材２０ａと第２横桟部材２０ｂとが互いに重なり合う面積は、第２領域１２における第１横桟部材２０ａと第２横桟部材２０ｂとが互いに重なり合う面積の３０％以上であることが好ましく、４０％以上であることがより好ましく、５０％以上であることがさらに好ましい。第１領域１１と第２領域１２における第１横桟部材２０ａと第２横桟部材２０ｂとが互いに重なり合う面積の比率の下限値をこのように設定することにより、夏期の南中高度の高い日射を十分に遮蔽することができる。また、第１領域１１における第１横桟部材２０ａと第２横桟部材２０ｂとが互いに重なり合う面積は、第２領域１２における第１横桟部材２０ａと第２横桟部材２０ｂとが互いに重なり合う面積の９０％以下であることが好ましく、８０％以下であることがより好ましく、７０％以下であることがさらに好ましい。第１領域１１と第２領域１２における第１横桟部材２０ａと第２横桟部材２０ｂとが互いに重なり合う面積の比率の上限値をこのように設定することにより、夏期において開口部３に差し込まない日射を通過させることができ、十分な明るさを建物２の内部に取り入れることができる。
【００４９】
第１面２１と第２面２２とがなす角度の大きさは、５度以下であることが好ましく、３度以下であることがより好ましく、１度以下であることがさらに好ましい。第１面２１と第２面２２がこのように形成されていることにより、夏期および９月の日射遮蔽効果を高めることができ、また、冬期および３月の日射取得効果を高めることができる。
【００５０】
第１面２１において第１横桟部材２０ａが占める割合は、３５％以上であることが好ましく、４０％以上であることがより好ましく、４５％以上であることがさらに好ましい。第１面２１において第１横桟部材２０ａが占める割合の下限値をこのように設定することにより、夏期および９月の日射を十分に遮りやすくなる。また、第１面２１において第１横桟部材２０ａが占める割合は、６５％以下であることが好ましく、６０％以下であることがより好ましく、５５％以下であることがさらに好ましい。第１面２１において第１横桟部材２０ａが占める割合の上限値をこのように設定することにより、冬期および３月の日射を十分に取り込みやすくなる。
【００５１】
第２面２２において第２横桟部材２０ｂが占める割合は、３５％以上であることが好ましく、４０％以上であることがより好ましく、４５％以上であることがさらに好ましい。第２面２２において第２横桟部材２０ｂが占める割合の下限値をこのように設定することにより、夏期および９月の日射遮蔽が十分なものとなる。また、第２面２２において第２横桟部材２０ｂが占める割合は、６５％以下であることが好ましく、６０％以下であることがより好ましく、５５％以下であることがさらに好ましい。第２面２２において第２横桟部材２０ｂが占める割合の上限値をこのように設定することにより、冬期および３月の日射取得が十分なものとなる。
【００５２】
日射遮蔽部材１０の第１面２１上への第１横桟部材２０ａの固定、および、第２面２２上への第２横桟部材２０ｂの固定の方法としては、前述の横桟部材２０の固定方法として挙げた方法を用いることができる。中でも、第１面２１側となる側面部材１３の一方面に第１横桟部材２０ａをネジによって固定し、第２面２２側となる側面部材１３の他方面に第２横桟部材２０ｂをネジによって固定することが好ましい。このように第１横桟部材２０ａおよび第２横桟部材２０ｂを固定することにより、高い強度の固定を簡易に行うことができる。
【００５３】
第１面２１上に設けられる第１横桟部材２０ａの数と、第２面２２上に設けられる第２横桟部材２０ｂの数は、複数であれば特に限定されず、第１横桟部材２０ａと第２横桟部材２０ｂの数が同数であってもよく、第１横桟部材２０ａの方が第２横桟部材２０ｂよりも数が多くてもよく、第１横桟部材２０ａの方が第２横桟部材２０ｂよりも数が少なくてもよい。中でも、第１横桟部材２０ａの数が第２横桟部材２０ｂよりも多い方が、夏期および９月の日射遮蔽効果が高まるため好ましい。
【００５４】
第１横桟部材２０ａの大きさは、第２横桟部材２０ｂの大きさと同じであってもよく、異なっていてもよい。中でも、第１横桟部材２０ａの幅は、第２横桟部材２０ｂの幅の０．７倍以上であることが好ましく、０．８倍以上であることがより好ましく、０．９倍以上であることがさらに好ましい。第１横桟部材２０ａと第２横桟部材２０ｂとの幅の比率の下限値をこのように設定することにより、夏期および９月の冷房時期において十分に日射遮蔽を行うことができる。また、第１横桟部材２０ａの幅は、第２横桟部材２０ｂの幅の１．３倍以下であることが好ましく、１．２倍以下であることがより好ましく、１．１倍以下であることがさらに好ましい。第１横桟部材２０ａと第２横桟部材２０ｂとの幅の比率の上限値をこのように設定することにより、冬期および３月の暖房時期において十分に日射取得を行うことができる。
【００５５】
第２領域１２における第１横桟部材２０ａと隣接する第１横桟部材２０ａとの距離Ｌ２は、第１領域１１における第１横桟部材２０ａと隣接する第１横桟部材２０ａとの距離Ｌ１よりも大きく、かつ、第１領域１１における第２横桟部材２０ｂと隣接する第２横桟部材２０ｂとの距離Ｌ３および第２領域１２における第２横桟部材２０ｂと隣接する第２横桟部材２０ｂとの距離Ｌ４よりも大きいことが好ましい。即ち、第１領域１１における、第１横桟部材２０ａと隣接する第１横桟部材２０ａとの距離Ｌ１、第２横桟部材２０ｂと隣接する第２横桟部材２０ｂとの距離Ｌ３、第２領域１２における、第１横桟部材２０ａと隣接する第１横桟部材２０ａとの距離Ｌ２、第２横桟部材２０ｂと隣接する第２横桟部材２０ｂとの距離Ｌ４の中で、第２領域１２における第１横桟部材２０ａと隣接する第１横桟部材２０ａとの距離Ｌ２が最も大きいことが好ましい。横桟部材２０がこのように構成されていることにより、開口部３へ差し込む９月の日射については十分に遮蔽し、３月の日射は十分に通過させることが可能となる。
【００５６】
第１領域１１において、第１横桟部材２０ａと隣接する第１横桟部材２０ａとの距離Ｌ１は、第１横桟部材２０ａの建物２に近い側の端部２３から建物２に遠い側の端部２４までの長さＬ５よりも小さいことが好ましい。第１領域１１における第１横桟部材２０ａがこのように構成されていることにより、夏期の日射を十分に遮ることができる。
【００５７】
第２領域１２において、第１横桟部材２０ａと隣接する第１横桟部材２０ａとの距離Ｌ２は、第１横桟部材２０ａの建物２に近い側の端部２３から建物２に遠い側の端部２４までの長さＬ６よりも大きいことが好ましい。第２領域１２における第１横桟部材２０ａがこのように構成されていることにより、開口部３に入らない夏期の日射は通過させながら、開口部３に入る９月の日射は遮蔽することが可能となる。
【００５８】
第１領域１１における第１横桟部材２０ａと隣接する第１横桟部材２０ａとの距離Ｌ１は、第１横桟部材２０ａの建物２に近い側の端部２３から建物２に遠い側の端部２４までの長さＬ５の５０％以上であることが好ましく、５５％以上であることがより好ましく、６０％以上であることがさらに好ましい。第１横桟部材２０ａの間隔Ｌ１と第１横桟部材２０ａの長さＬ５との比率の下限値をこのように設定することにより、必要となる第１領域１１の第１横桟部材２０ａの数を減らすことができ、日射遮蔽部材１０の重量の軽減を図ることができる。また、第１領域１１における第１横桟部材２０ａと隣接する第１横桟部材２０ａとの距離Ｌ１は、第１横桟部材２０ａの建物２に近い側の端部２３から建物２に遠い側の端部２４までの長さＬ５の９９％以下であることが好ましく、９５％以下であることがより好ましく、９０％以下であることがさらに好ましい。第１横桟部材２０ａの間隔Ｌ１と第１横桟部材２０ａの長さＬ５との比率の上限値をこのように設定することにより、夏期について十分に日射遮蔽を行うことができる。
【００５９】
第２領域１２における第１横桟部材２０ａと隣接する第１横桟部材２０ａとの距離Ｌ２は、第１横桟部材２０ａの建物２に近い側の端部２３から建物２に遠い側の端部２４までの長さＬ６の１．０５倍以上であることが好ましく、１．１０倍以上であることがより好ましく、１．１５倍以上であることがさらに好ましい。第２領域１２における第１横桟部材２０ａと隣接する第１横桟部材２０ａとの距離Ｌ２と第１横桟部材２０ａの建物２に近い側の端部２３から建物２に遠い側の端部２４までの長さＬ６との比率の下限値をこのように設定することにより、３月の日射を十分に通過させ、建物２の内部に取り入れることができる。また、第２領域１２における第１横桟部材２０ａと隣接する第１横桟部材２０ａとの距離Ｌ２は、第１横桟部材２０ａの建物２に近い側の端部２３から建物２に遠い側の端部２４までの長さＬ６の１．５０倍以下であることが好ましく、１．４０倍以下であることがより好ましく、１．３０倍以下であることがさらに好ましい。第２領域１２における第１横桟部材２０ａと隣接する第１横桟部材２０ａとの距離Ｌ２と第１横桟部材２０ａの建物２に近い側の端部２３から建物２に遠い側の端部２４までの長さＬ６との比率の上限値をこのように設定することにより、９月の日射を十分に遮ることができる。
【００６０】
第２領域１２において、重なりが最も大きい１つの第１横桟部材２０ａと１つの第２横桟部材２０ｂにおける重なりの面積は、該第１横桟部材２０ａの投影面積の３０％以上であり、かつ、該第２横桟部材２０ｂの投影面積の３０％以上であることが好ましい。中でも、第２領域１２において、重なりが最も大きい１つの第１横桟部材２０ａと１つの第２横桟部材２０ｂにおける重なりの面積は、該第１横桟部材２０ａの投影面積の５０％以上であることがより好ましく、７０％以上であることがさらに好ましく、また、該第２横桟部材２０ｂの投影面積の５０％以上であることがより好ましく、７０％以上であることがさらに好ましい。第２領域１２における第１横桟部材２０ａと第２横桟部材２０ｂとの重なりの面積がこのようになっていることにより、夏期の開口部３には差し込まない日射を通過させることができ、この日射をデッキ４等に反射させて建物２の内部に明るさを取り入れることが可能となる。
【００６１】
図７および図８に示すように、横桟部材２０は、横桟部材２０の建物２に近い側の端部２３が、横桟部材２０の建物２に遠い側の端部２４よりも高くなるように傾斜して配列されていることも好ましい。日射遮蔽部材１０がこのように構成されていることにより、図９〜図１２に示すように、夏期および９月は日射遮蔽の効率を高め、冬期および３月は日射取得の効率をそれぞれ高めることができる。
【００６２】
横桟部材２０の傾斜角度は、１度以上であることが好ましく、５度以上であることがより好ましく、１０度以上であることがさらに好ましい。横桟部材２０の傾斜角度の下限値をこのように設定することにより、夏期や９月の日射を十分に遮蔽することができる。また、横桟部材２０の傾斜角度は、８０度以下であることが好ましく、６５度以下であることがより好ましく、５０度以下であることがさらに好ましい。横桟部材２０の傾斜角度の上限値をこのように設定することにより、夏期の開口部３に差し込まない日射を通過させることができ、明るさを建物２の内部に取り入れることができる。
【００６３】
横桟部材２０の傾斜角度は、一定であってもよく、異なっていてもよい。中でも、第１領域１１における横桟部材２０の傾斜角度は、第２領域１２における横桟部材２０の傾斜角度よりも小さいことが好ましい。横桟部材２０の傾斜角度がこのようになっていることにより、夏期および９月の日射遮蔽をより効率的に行うことが可能となる。
【００６４】
第１領域１１における横桟部材２０の傾斜角度は、第２領域１２における横桟部材２０の傾斜角度の０．１倍以上であることが好ましく、０．２倍以上であることがより好ましく、０．３倍以上であることがさらに好ましい。第１領域１１と第２領域１２におけるそれぞれの横桟部材２０の傾斜角度の比率の下限値をこのように設定することにより、横桟部材２０の数を減らしつつ、夏期の日射を効率的に遮蔽することができる。また、第１領域１１における横桟部材２０の傾斜角度は、第２領域１２における横桟部材２０の傾斜角度の０．９倍以下であることが好ましく、０．８倍以下であることがより好ましく、０．７倍以下であることがさらに好ましい。第１領域１１と第２領域１２におけるそれぞれの横桟部材２０の傾斜角度の比率の上限値をこのように設定することにより、横桟部材２０が十分に夏期の日射を遮ることができる。
【００６５】
第１領域１１には、建物２に遠い側の横桟部材２０の端部が、該横桟部材２０に隣接する横桟部材２０に重なる横桟部材２０を有していることが好ましい。即ち、第１領域１１の横桟部材２０の建物２に近い側の端部２３が、該横桟部材２０に隣接し該横桟部材２０よりも建物２に近い側にある横桟部材２０の、建物２に遠い側の端部２４よりも建物２に近い側にあることが好ましい。第１領域１１の横桟部材２０がこのように構成されていることにより、横桟部材２０間の隙間をなくすことができ、夏期の日射を十分に遮蔽することが可能となる。
【００６６】
第２領域１２には、建物２に遠い側の横桟部材２０の端部が、該横桟部材２０に隣接する横桟部材２０に重ならない横桟部材２０を有していることが好ましい。即ち、第２領域１２の横桟部材２０の建物２に近い側の端部２３が、該横桟部材２０に隣接し該横桟部材２０よりも建物２に近い側にある横桟部材２０の、建物２に遠い側の端部２４よりも建物２に遠い側にあることが好ましい。第２領域１２の横桟部材２０がこのように構成されていることにより、夏期の開口部３には差し込まない日射を横桟部材２０間の隙間から通過させることができ、明るさを建物２の内部に取り入れることができる。
【００６７】
第１領域１１において、横桟部材２０と該横桟部材２０に隣接する横桟部材２０とが互いに重なり合う部分の面積は、第２領域１２において、横桟部材２０と該横桟部材２０に隣接する横桟部材２０とが互いに重なり合う部分の面積よりも大きいことが好ましい。即ち、第１領域１１の方が第２領域１２よりも各横桟部材２０の重なりが大きいことが好ましい。第１領域１１の横桟部材２０がこのように構成されていることにより、効率的に夏期の日射遮蔽を行うことができる。
【００６８】
日射遮蔽部材１０は、第１面２１と第２面２２とを有し、横桟部材２０の建物２に近い側の端部２３と第１面２１との距離は、横桟部材２０の建物２に遠い側の端部２４と第２面２２との距離よりも大きいことが好ましい。即ち、横桟部材２０は、横桟部材２０の建物２に遠い側の端部２４が建物２に近い側の端部２３よりも低くなるように傾斜しており、横桟部材２０の建物２に遠い側の端部２４が、横桟部材２０の高さの中間地点よりも下側に配されていることが好ましい。日射遮蔽部材１０がこのように構成されていることにより、日射遮蔽部材１０の製造時に、横桟部材２０を傾斜して配置することが行いやすくなる。
【００６９】
中でも、横桟部材２０の建物２に遠い側の端部２４が、日射遮蔽部材１０の第２面２２上に配列されていることが好ましい。横桟部材２０がこのように構成されていることにより、日射遮蔽部材１０の製造時に、第１領域１１と第２領域１２とで横桟部材２０の傾斜角度を変えて、横桟部材２０を配置しやすくなる。
【００７０】
以上のように、本発明の日射遮蔽設備は、建物の開口部の上部に設けられ、日射遮蔽部材を有し、日射遮蔽部材は、第１領域と、第１領域よりも建物に遠い位置に第２領域とを含み、日射遮蔽部材は、日射遮蔽部材の上部から日射遮蔽部材の直下に配置したスクリーンに光を投影した際に、スクリーン上に光が通過する部分と、光を遮って影となる部分とを有し、第１領域の投影面積の割合（＝第１領域において影となる部分の面積／第１領域の面積）は、第２領域の投影面積の割合（＝第２領域において影となる部分の面積／第２領域の面積）よりも大きいことを特徴とする。このような構成であることにより、容易に夏期および９月は日射遮蔽を、冬期および３月は日射取得が行えるようになり、さらに夏期には日射の遮蔽を行いながら明るさを室内に取り入れることができる。
【符号の説明】
【００７１】
１：日射遮蔽設備
２：建物
３：開口部
４：デッキ
５：支柱
１０：日射遮蔽部材
１１：第１領域
１２：第２領域
１３：側面部材
２０：横桟部材
２０ａ：第１横桟部材
２０ｂ：第２横桟部材
２１：第１面
２２：第２面
２３：横桟部材の建物に近い側の端部
２４：横桟部材の建物に遠い側の端部
３１：夏至の日射
３２：９月（秋分）の日射
３３：冬至の日射
３４：３月（春分）の日射
１００：従来の日射遮蔽設備
１０２：建物
１０３：開口部
１０４：デッキ
１０５：支柱
１２０：横桟部材
Ｌ１：第１領域における第１横桟部材と隣接する第１横桟部材との距離
Ｌ２：第２領域における第１横桟部材と隣接する第１横桟部材との距離
Ｌ３：第１領域における第２横桟部材と隣接する第２横桟部材との距離
Ｌ４：第２領域における第２横桟部材と隣接する第２横桟部材との距離
Ｌ５：第１横桟部材の建物に近い側の端部から建物に遠い側の端部までの長さ
Ｌ６：第１横桟部材の建物に近い側の端部から建物に遠い側の端部までの長さ
【図１】
2019199704.tif 000003
【図２】
2019199704.tif 000004
【図３】
2019199704.tif 000005
【図４】
2019199704.tif 000006
【図５】
2019199704.tif 000007
【図６】
2019199704.tif 000008
【図７】
2019199704.tif 000009
【図８】
2019199704.tif 000010
【図９】
2019199704.tif 000011
【図１０】
2019199704.tif 000012
【図１１】
2019199704.tif 000013
【図１２】
2019199704.tif 000014
【図１３】
2019199704.tif 000015
【図１４】
2019199704.tif 000016
【図１５】
2019199704.tif 000017
【図１６】
2019199704.tif 000018